【手続補正書】
【提出日】平成26年5月8日(2014.5.8)
【手続補正１】
【補正対象書類名】特許請求の範囲
【補正対象項目名】全文
【補正方法】変更
【補正の内容】
【特許請求の範囲】
【請求項１】
複数のシートに画像を印刷する印刷手段と、
前記印刷手段により画像が印刷されたシートを読み取る読取手段と、
前記読取手段による読み取りの結果として得られる画像に基づいて、前記印刷手段による印刷が正常に行われたか否かを判定する判定手段と、
前記読取手段による読み取りが完了したシートを排紙する排紙手段と、
前記判定手段による判定の結果に基づき、前記印刷手段による印刷が正常に行われなかったと判定されたシートを特定するための追加シートを、前記排紙手段により排紙される複数のシートの間に挿入する挿入手段と、
を備え、
前記挿入手段は、前記読取手段がシートを読み取る位置よりも搬送方向の下流側において前記追加シートの挿入を行うことを特徴とする印刷装置。
【請求項２】
前記印刷手段によって画像が印刷されるシートを保持する第１のシート保持手段と、
前記挿入手段によって挿入されるシートを保持する第２のシート保持手段と、
を更に備えることを特徴とする請求項１に記載の印刷装置。
【請求項３】
原稿上の画像を読み取る他の読取手段を更に備え、
前記印刷手段は、前記他の読取手段による読み取りの結果として得られる画像を印刷することを特徴とする請求項１または２に記載の印刷装置。
【請求項４】
前記判定手段は、前記読取手段による読み取りの結果として得られる画像と前記他の読取手段による読み取りの結果として得られる画像を比較することによって前記判定を行うことを特徴とする請求項３に記載の印刷装置。
【請求項５】
前記排紙手段は、前記印刷手段による印刷が正常に行われたと判定されたシートと前記印刷手段による印刷が正常に行われなかったと判定されたシートとを異なる排紙部に排紙することを特徴とする請求項１乃至４のいずれか１項に記載の印刷装置。
【請求項６】
印刷手段により画像が印刷されたシートを読み取る読取手段と、前記読取手段による読み取りの結果として得られる画像に基づいて、前記印刷手段による印刷が正常に行われたか否かを判定する判定手段とを備える検品装置に接続されるシート挿入装置であって、
前記検品装置から搬送されるシートを排紙する排紙手段と、
前記判定手段による判定の結果に基づき、前記印刷手段による印刷が正常に行われなかったと判定されたシートを特定するための追加シートを、前記排紙手段により排紙される複数のシートの間に挿入する挿入手段と、
を備えることを特徴とするシート挿入装置。
【請求項７】
複数のシートに画像を印刷する印刷工程と、
前記印刷工程で画像が印刷されたシートを読み取る読取工程と、
前記読取工程における読み取りの結果として得られる画像に基づいて、前記印刷工程における印刷が正常に行われたか否かを判定する判定工程と、
前記読取工程における読み取りが完了したシートを排紙する排紙工程と、
前記判定工程における判定の結果に基づき、前記印刷工程における印刷が正常に行われなかったと判定されたシートを特定するための追加シートを、前記排紙工程において排紙される複数のシートの間に挿入する挿入工程と、
を備え、
前記挿入工程では、前記読取工程でシートが読み取られる位置よりも搬送方向の下流側において前記追加シートの挿入を行うことを特徴とする印刷方法。
【請求項８】
印刷手段により画像が印刷されたシートを読み取る読取手段と、前記読取手段による読み取りの結果として得られる画像に基づいて、前記印刷手段による印刷が正常に行われたか否かを判定する判定手段とを備える検品装置に接続されるシート挿入装置のシート挿入方法であって、
前記検品装置から搬送されるシートを排紙する排紙工程と、
前記判定手段による判定の結果に基づき、前記印刷手段による印刷が正常に行われなかったと判定されたシートを特定するための追加シートを、前記排紙工程で排紙される複数のシートの間に挿入する挿入工程と、
を備えることを特徴とするシート挿入方法。
【請求項９】
コンピュータを請求項１乃至５のいずれか１項に記載の印刷装置の各手段として機能させるためのプログラム。
【請求項１０】
コンピュータを請求項６に記載のシート挿入装置の各手段として機能させるためのプログラム。
【手続補正２】
【補正対象書類名】明細書
【補正対象項目名】発明の名称
【補正方法】変更
【補正の内容】
【発明の名称】印刷装置、シート挿入装置、印刷方法、シート挿入方法、及びプログラム
【手続補正３】
【補正対象書類名】明細書
【補正対象項目名】０００１
【補正方法】変更
【補正の内容】
【０００１】
本発明は、印刷装置、シート挿入装置、印刷方法、シート挿入方法、及びプログラムに関するものである。
【手続補正４】
【補正対象書類名】明細書
【補正対象項目名】０００４
【補正方法】変更
【補正の内容】
【０００４】
しかしながら、従来の印刷システムでは、ユーザが、後から正常ではないと判断された印刷物の画像を再印刷した場合に、再印刷された印刷物を、正常であると判断された印刷物のどこに合わせればよいか、わかりづらい。
例えば、特許文献１は、検品の結果、印刷結果が正しくないと判断した場合、印刷結果が正しくないことをユーザに通知するのみであり、再印刷された印刷物を、正常であると判断された印刷物のどこに合わせればよいか、わかりやすくするものではない。
本発明は、上記の課題を解決するためになされたものである。本発明の目的は、印刷が正常に行われなかったと判定されたシートを示す追加シートを、印刷装置の生産性を大きく損なうことなく挿入する仕組みを提供することである。
【手続補正５】
【補正対象書類名】明細書
【補正対象項目名】０００５
【補正方法】変更
【補正の内容】
【０００５】
上記目的を達成する本発明の印刷装置は、複数のシートに画像を印刷する印刷手段と、前記印刷手段により画像が印刷されたシートを読み取る読取手段と、前記読取手段による読み取りの結果として得られる画像に基づいて、前記印刷手段による印刷が正常に行われたか否かを判定する判定手段と、前記読取手段による読み取りが完了したシートを排紙する排紙手段と、前記判定手段による判定の結果に基づき、前記印刷手段による印刷が正常に行われなかったと判定されたシートを特定するための追加シートを、前記排紙手段により排紙される複数のシートの間に挿入する挿入手段と、を備え、前記挿入手段は、前記読取手段がシートを読み取る位置よりも搬送方向の下流側において前記追加シートの挿入を行うことを特徴とする。
また、本発明のシート挿入装置は、印刷手段により画像が印刷されたシートを読み取る読取手段と、前記読取手段による読み取りの結果として得られる画像に基づいて、前記印刷手段による印刷が正常に行われたか否かを判定する判定手段とを備える検品装置に接続されるシート挿入装置であって、前記検品装置から搬送されるシートを排紙する排紙手段と、
前記判定手段による判定の結果に基づき、前記印刷手段による印刷が正常に行われなかったと判定されたシートを特定するための追加シートを、前記排紙手段により排紙される複数のシートの間に挿入する挿入手段と、を備えることを特徴とする。
【手続補正６】
【補正対象書類名】明細書
【補正対象項目名】０００６
【補正方法】変更
【補正の内容】
【０００６】
本発明によれば、印刷が正常に行われなかったと判定されたシートを示す追加シートを、印刷装置の生産性を大きく損なうことなく挿入することができる。